(57)【要約】【課題】窒化ホウ素粉体に良好な流動性・高充填性等を付与した窒化ホウ素粉末、及び該窒化ホウ素粉末を含む樹脂組成物を提供する。【解決手段】窒化ホウ素粉末の表面に、シリカ微粒子が付着している窒化ホウ素粉末、該窒化ホウ素粉末を含む樹脂組成物であって、該シリカ微粒子が、(A1)実質的にＳｉＯ2単位からなる親水性球状シリカ微粒子を得る工程と、(A2)該親水性球状シリカ微粒子の表面に、Ｒ1ＳｉＯ3/2単位を導入する工程と、(A3) Ｒ23ＳｉＯ1/2単位を導入する工程とを含む方法により製造され、粒子径が0.005〜1.0μmの範囲で、粒度分布D90/D10の値が３以下であり、かつ平均円形度が0.8〜１である疎水性球状シリカ微粒子（１）であることを特徴とする粉末。【選択図】  図１
2014166930.tif 000002
【特許請求の範囲】
【請求項１】
窒化ホウ素粉末の表面に、該窒化ホウ素粉末の質量の少なくとも0.01質量％の量のシリカ微粒子が付着した粉末であって、
該シリカ微粒子が、
(A1)４官能性シラン化合物、その部分加水分解縮合生成物またはこれらの混合物を、加水分解および縮合することによって実質的にＳｉＯ2単位からなる親水性球状シリカ微粒子を得る工程と、
(A2)該親水性球状シリカ微粒子の表面に、Ｒ1ＳｉＯ3/2単位（式中、Ｒ1は置換または非置換の炭素原子数１〜20の１価炭化水素基である）を導入する工程と、
(A3) Ｒ23ＳｉＯ1/2単位（式中、各Ｒ2は同一または異なり、置換または非置換の炭素原子数１〜６の１価炭化水素基である）を導入する工程
とを含む方法により製造され、
粒子径が0.005〜1.00μmの範囲で、粒度分布D90/D10の値が３以下であり、かつ平均円形度が0.8〜１である疎水性球状シリカ微粒子（１）であることを特徴とする粉末。
【請求項２】
前記疎水性球状シリカ微粒子（１）が、
(A1)一般式（Ｉ）：
Ｓｉ（ＯＲ3）4              （Ｉ）
（式中、各Ｒ3は同一または異種の炭素原子数１〜６の一価炭化水素基である）で示される４官能性シラン化合物、その部分加水分解生成物またはこれらの混合物を、塩基性物質の存在下、親水性有機溶媒と水の混合液中で加水分解及び縮合することによって実質的にＳｉＯ2単位からなる親水性球状シリカ微粒子の混合溶媒分散液を得、
(A2)得られた該親水性球状シリカ微粒子の混合溶媒分散液に、一般式（II）：
Ｒ1Ｓｉ（ＯＲ4）3                            （II）
（式中、Ｒ1は置換または非置換の炭素原子数１〜２０の一価炭化水素基、各Ｒ4は同一または異種の炭素原子数１〜６の一価炭化水素基である）で示される３官能性シラン化合物、その部分加水分解生成物、またはこれらの混合物を添加して該親水性球状シリカ微粒子の表面を処理することにより、該親水性球状シリカ微粒子の表面にＲ1ＳｉＯ3/2単位（Ｒ1は前記の通りである）を導入して第一の疎水性球状シリカ微粒子の混合溶媒分散液を得、
(A3)得られた該第一の疎水性球状シリカ微粒子の混合溶媒分散液に、一般式（III）：
Ｒ23ＳｉＮＨＳｉＲ23                          (III)
（式中、各Ｒ2は同一または異種の置換または非置換の炭素原子数１〜６の一価炭化水素基である）
で示されるシラザン化合物、一般式（IV）：
Ｒ23ＳｉＸ                                  （IV）
（式中、Ｒ2は一般式（III）で定義した通りであり、ＸはＯＨ基または加水分解性基である）で示される１官能性シラン化合物、またはこれらの混合物を添加して、前記第一の疎水性球状シリカ微粒子の表面をこれにより処理して、該第一の疎水性球状シリカ微粒子の表面にＲ23ＳｉＯ1/2単位（Ｒ2は一般式（III）で定義した通りである）を導入することにより第二の疎水性シリカ微粒子として得られる疎水性球状シリカ微粒子である、請求項１記載の粉末。
【請求項３】
前記窒化ホウ素粉末に前記疎水性球状シリカ微粒子（１）を該窒化ホウ素粉末の０．０１〜５．０質量％で添加し、混合することにより、該窒化ホウ素粉末表面に該疎水性球状シリカ微粒子（１）を付着させたことを特徴とする、請求項１又は２に記載の粉末。
【請求項４】
前記窒化ホウ素粉末の平均粒径が５〜５００μｍであり、かつ前記窒化ホウ素粉末は平均粒径が少なくとも１０μｍの六方晶系窒化ホウ素小板を１０〜９５質量％含むものである請求項１〜３のいずれか１項記載の粉末。
【請求項５】
前記窒化ホウ素粉末が、平均厚さが１０〜５０μｍ、平均アスペクト比が５０〜３００の六方晶系窒化ホウ素小板を１０〜９５質量％含むことを特徴とする、請求項１〜４のいずれか１項記載の粉末。
【請求項６】
請求項１〜５のいずれか１項に記載の粉末と樹脂とを含むことを特徴とする樹脂組成物。
【請求項７】
請求項１〜５のいずれか１項に記載の粉末と、溶融可能なポリマーから選択される少なくとも１種のマトリクスポリマーとを含むことを特徴とする樹脂組成物。
【請求項８】
前記マトリクスポリマーが、ポリエステル、フェノール樹脂、エポキシ樹脂、シリコーンポリマー及びアクリル樹脂から選択される一種又は二種以上である、請求項７に記載の樹脂組成物。
【請求項９】
請求項６、７又は８記載の樹脂組成物を成形した熱伝導性シート。
【発明の詳細な説明】
【技術分野】
【０００１】
本発明は、窒化ホウ素粉末に関し、更に詳しくは、窒化ホウ素粉末自身に高度の流動性及び高充填性を付与した、改良された窒化ホウ素粉末、並びに該窒化ホウ素粉末を配合した樹脂組成物に関する。
【背景技術】
【０００２】
窒化ホウ素（「ＢＮ」）は種々の結晶構造で入手され、研磨剤から滑沢剤まで種々の用途がある。六方晶系窒化ホウ素（「ｈＢＮ」）は、小板形態のグラファイトに類似する六方晶系層構造を有する白色の極めて望ましい形態である。この特性により、窒化ホウ素は、ポリマー等のマトリックスに熱伝導、電気絶縁性、耐食性及び／又は潤滑性を付与するための用途、及びプラスチック添加剤としての利用が見出されている。窒化ホウ素は、鋳造して複合材料に用いることもでき、或いは立方晶窒化ホウ素の原料として用いることもできる。また窒化ホウ素は、電子材料、非酸化セラミック焼結充填剤粉末、化粧品材料、医薬品添加剤等の多くの用途で用いられる。
【０００３】
先行技術では窒化ホウ素は、窒化ホウ素粒子の白色粉末を形成する無機原料間の高温反応で製造することができる。小板形態の六方晶系窒化ホウ素が充填剤としてポリマーマトリックスに加えられると、レオロジー特性が乏しいブレンド材料が形成される。３０質量％を超える濃度でマトリックスに窒化ホウ素が充填されると、ブレンド材料は、シリンジのような機械的ディスペンサから計量分配するのが困難な程粘稠になってしまう。特許文献１には、結合剤で共に結合してその後スプレー乾燥した不規則な球状粒子の球形凝集塊の乾燥粉末を形成する窒化ホウ素製造プロセスが開示されている。球形窒化ホウ素凝集塊は、３５〜５０重量％のレベルでポリマー組成物に配合して、粘性が約３００ｃｐを下回る組成物にすることができる。
【０００４】
特許文献２には、０．１〜５重量％の量のチタネートカップリング剤、シランカップリング剤、及び非イオン性カップリング剤で少なくとも処理し、剥離剤、滑沢剤、低摩擦材料、コーティング材料、その他のような用途で窒化ホウ素の湿潤性を改善した窒化ホウ素粉末が開示されている。特許文献３には、平均粒径が少なくとも６０ミクロンであり、カップリング剤でコーティングされた窒化ホウ素粉末を少なくとも６０質量％有し、熱伝導性組成物の熱伝導性が少なくとも１５Ｗ／ｍＫである熱伝導性鋳造可能ポリマーブレンドが開示されている。
【０００５】
特許文献４には表面が、シラン、シロキサン、カルボン酸誘導体などのコーティング層で処理された窒化ホウ素粉末であって、該コーティング層が窒化ホウ素の表面の少なくとも１０％に付着され、該窒化ホウ素粉末表面が、最終的なコーティング層の少なくとも１つの官能基と反応する少なくとも１つの官能基を含む複数の反応部位を有するように処理された窒化ホウ素粉末が開示されている。
【０００６】
一方、自動車及び電子機器用を含む用途に充填剤として大量に用いることができる窒化ホウ素組成物が依然として必要とされている。しかし上記従来技術では、窒化ホウ素の処理工程が煩雑であったり、窒化ホウ素表面処理が不均一になりやすいなどの問題や、得られる処理済の窒化ホウ素の流動性や充填性がまだまだ不十分であることなど、更なる改良が要求されている。
【先行技術文献】
【特許文献】
【０００７】
【特許文献１】米国特許第６，７３１，０８８号公報
【特許文献２】日本公開特許第０５−０５１５４０号公報
【特許文献３】米国特許第６，１６２，８４９号公報
【特許文献４】日本特許第５０８６６１９号公報
【発明の概要】
【発明が解決しようとする課題】
【０００８】
本発明の課題は、窒化ホウ素粉末に良好な流動性・高充填性等を付与した窒化ホウ素粉末、及び該粉末を含む、樹脂組成物を提供することである。
【課題を解決するための手段】
【０００９】
本発明者らは、上記課題を解決するために鋭意検討した結果、本発明に至った。すなわち本発明は、以下の通りである。
【００１０】
＜１＞  窒化ホウ素粉末の表面に、該窒化ホウ素粉末の質量の少なくとも0.01質量％の量のシリカ微粒子が付着した粉末であって、
該シリカ微粒子が、
(A1)４官能性シラン化合物、その部分加水分解縮合生成物またはこれらの混合物を、加水分解および縮合することによって実質的にＳｉＯ2単位からなる親水性球状シリカ微粒子を得る工程と、
(A2)該親水性球状シリカ微粒子の表面に、Ｒ1ＳｉＯ3/2単位（式中、Ｒ1は置換または非置換の炭素原子数１〜20の１価炭化水素基である）を導入する工程と、
(A3) Ｒ23ＳｉＯ1/2単位（式中、各Ｒ2は同一または異なり、置換または非置換の炭素原子数１〜６の１価炭化水素基である）を導入する工程
とを含む方法により製造され、
粒子径が0.005〜1.00μmの範囲で、粒度分布D90/D10の値が３以下であり、かつ平均円形度が0.8〜１である疎水性球状シリカ微粒子（１）であることを特徴とする粉末。
【００１１】
＜２＞  前記疎水性球状シリカ微粒子（１）が、
(A1)一般式（Ｉ）：
Ｓｉ（ＯＲ3）4              （Ｉ）
（式中、各Ｒ3は同一または異種の炭素原子数１〜６の一価炭化水素基である）で示される４官能性シラン化合物、その部分加水分解生成物またはこれらの混合物を、塩基性物質の存在下、親水性有機溶媒と水の混合液中で加水分解及び縮合することによって実質的にＳｉＯ2単位からなる親水性球状シリカ微粒子の混合溶媒分散液を得、
(A2)得られた該親水性球状シリカ微粒子の混合溶媒分散液に、一般式（II）：
Ｒ1Ｓｉ（ＯＲ4）3                            （II）
（式中、Ｒ1は置換または非置換の炭素原子数１〜２０の一価炭化水素基、各Ｒ4は同一または異種の炭素原子数１〜６の一価炭化水素基である）で示される３官能性シラン化合物、その部分加水分解生成物、またはこれらの混合物を添加して該親水性球状シリカ微粒子の表面を処理することにより、該親水性球状シリカ微粒子の表面にＲ1ＳｉＯ3/2単位（Ｒ1は前記の通りである）を導入して第一の疎水性球状シリカ微粒子の混合溶媒分散液を得、
(A3)得られた該第一の疎水性球状シリカ微粒子の混合溶媒分散液に、一般式（III）：
Ｒ23ＳｉＮＨＳｉＲ23                          （III）
（式中、各Ｒ2は同一または異種の置換または非置換の炭素原子数１〜６の一価炭化水素基である）
で示されるシラザン化合物、一般式（IV）：
Ｒ23ＳｉＸ                                  （IV）
（式中、Ｒ2は一般式（III）で定義した通りであり、ＸはＯＨ基または加水分解性基である）で示される１官能性シラン化合物、またはこれらの混合物を添加して、前記第一の疎水性球状シリカ微粒子の表面をこれにより処理して、該第一の疎水性球状シリカ微粒子の表面にＲ23ＳｉＯ1/2単位（Ｒ2は一般式（III）で定義した通りである）を導入することにより第二の疎水性シリカ微粒子として得られる疎水性球状シリカ微粒子である、＜１＞記載の粉末。
【００１２】
＜３＞  前記窒化ホウ素粉末に前記疎水性球状シリカ微粒子（１）を該窒化ホウ素粉末の０．０１〜５．０質量％で添加し、混合することにより、該窒化ホウ素粉末表面に該疎水性球状シリカ微粒子（１）を付着させたことを特徴とする、＜１＞又は＜２＞に記載の粉末。
【００１３】
＜４＞  前記窒化ホウ素粉末の平均粒径が５〜５００μｍであり、かつ前記窒化ホウ素粉末は平均粒径が少なくとも１０μｍの六方晶系窒化ホウ素小板を１０〜９５質量％含むものである＜１＞〜＜３＞のいずれか１項記載の粉末。
【００１４】
＜５＞  前記窒化ホウ素粉末が、平均厚さが１０〜５０μｍ、平均アスペクト比が５０〜３００の六方晶系窒化ホウ素小板を１０〜９５質量％含むことを特徴とする、＜１＞〜＜４＞のいずれか１項記載の粉末。
【００１５】
＜６＞  ＜１＞〜＜５＞のいずれか１項に記載の粉末と樹脂とを含むことを特徴とする樹脂組成物。
＜７＞  ＜１＞〜＜５＞のいずれか１項に記載の粉末と、溶融可能なポリマーから選択される少なくとも１種のマトリクスポリマーとを含むことを特徴とする樹脂組成物。
＜８＞  前記マトリクスポリマーが、ポリエステル、フェノール樹脂、エポキシ樹脂、シリコーンポリマー及びアクリル樹脂から選択される一種又は二種以上である、＜７＞に記載の樹脂組成物。
＜９＞  ＜６＞、＜７＞又は＜８＞記載の樹脂組成物を成形した熱伝導性シート。
【発明の効果】
【００１６】
本発明により得られる窒化ホウ素組成物は、良好な流動性、高い充填特性、及び安定性を備えるため、それを用いたポリマー組成物は、従来にない高度な熱伝導性や電気絶縁性を有することができる。
【図面の簡単な説明】
【００１７】
【図１】実施例２の、球状疎水性シリカ微粒子を窒化ホウ素粉末表面に付着させた窒化ホウ素組成物の電子顕微鏡写真を示す。
【図２】実施例４の、球状疎水性シリカ微粒子を窒化ホウ素粉末表面に付着させた窒化ホウ素組成物の電子顕微鏡写真を示す。
【図３】比較例５の、球状疎水性シリカ微粒子を窒化ホウ素粉末に添加しない未処理の窒化ホウ素の電子顕微鏡写真を示す。
【発明を実施するための形態】
【００１８】
以下、本発明について詳細に説明する。
＜窒化ホウ素（ＢＮ）粉末成分＞
出発材料として、非コーティング（即ち、未処理の）窒化ホウ素粉末成分は、当技術分野で公知のプロセスにより作られた結晶性又は部分結晶性窒化ホウ素粒子を含む。これらには、米国特許第６，６５２，８２２号公報に開示されているようなプラズマガスを用いるプロセスで生成されたミクロンサイズの範囲の球状窒化ホウ素粒子、米国公開特許２００１−００２１７４０公報に開示されているような結合剤により互いに結合されて、その後スプレー乾燥された不規則な非球状窒化ホウ素粒子で形成された球状窒化ホウ素凝集塊を含む六方晶系窒化ホウ素（ｈＢＮ）粉末、米国特許第５，８９８，００９号公報及び米国特許第６，０４８，５１１号公報に開示されているような加圧成形により生成された窒化ホウ素粉末、米国公開特許２００５−００４１３７３公報に開示されているような窒化ホウ素凝集粉末、米国公開特許２００４−０２０８８１２Ａ１公報に開示されているような高拡散係数の窒化ホウ素粉末、及び米国特許第６，９５１，５８３号公報に開示されているような高度デラミネート窒化ホウ素粉末が含まれる。
【００１９】
＜窒化ホウ素粉末＞
本発明における窒化ホウ素粉末は、平均粒径が少なくとも１０μｍの六方晶系窒化ホウ素小板を含み、その平均粒径は５〜５００μｍが好ましい。更に好ましくは、該窒化ホウ素粉末は、平均粒径が少なくとも１０μｍの六方晶系窒化ホウ素小板を含み、その平均粒径は１０〜１００μｍである。六方晶系窒化ホウ素小板の含有量は、窒化ホウ素粉末全体の１０〜９５重量％であることが好ましく、特に１０〜８０重量％、更に３０〜８０重量％であることが好ましい。更に窒化ホウ素粉末は、平均粒径が１０μｍを超える六方晶系窒化ホウ素小板の不規則な形状の凝集塊を含んでもよい。
【００２０】
また窒化ホウ素粉末は、厚さが５０μｍ以下、特に１０〜５０μｍの小板の形態が好ましく、更にその平均アスペクト比が１０〜３００の六方晶系窒化ホウ素小板の形態がより好ましい。
【００２１】
＜疎水性球状シリカ微粒子＞
上記窒化ホウ素粉末に混合する疎水性球状シリカ微粒子の特徴について、詳細に説明する。
本発明で使用される疎水性球状シリカ微粒子は、
(A1)４官能性シラン化合物、その部分加水分解縮合生成物またはそれらの組み合わせを加水分解および縮合することによって実質的にＳｉＯ2単位からなる親水性球状シリカ微粒子を得る工程と、
(A2)該親水性球状シリカ微粒子の表面に、Ｒ1ＳｉＯ3/2単位（式中、Ｒ1は置換または非置換の炭素原子数１〜20の１価炭化水素基である）を導入する工程と、
(A3)Ｒ23ＳｉＯ1/2単位（式中、各Ｒ2は同一または異なり、置換または非置換の炭素原子数１〜６の１価炭化水素基である）を導入する工程
とを含む方法により製造され、
粒子径が0.005〜1.0μmの範囲で、粒度分布D90/D10の値が３以下であり、かつ平均円形度が0.8〜１である疎水性球状シリカ微粒子（１）である。
【００２２】
上記疎水性球状シリカ微粒子は粒子径が0.005〜1.00μmであり、好ましくは0.01〜0.30μm、特に好ましくは0.03〜0.20μmである。この粒子径が0.005μmよりも小さいと、窒化ホウ素粒子の凝集が激しく、該窒化ホウ素粒子をうまく取り出せない場合がある。また1.00μmよりも大きいと、窒化ホウ素粒子に良好な流動性や充填性を付与できない場合があり、好ましくない。
【００２３】
上記疎水性球状シリカ微粒子の粒度分布の指標であるD90/D10の値は、３以下である。ここで、D10及びD90はそれぞれ、粒子径の分布を測定することによって得られる値である。粉体の粒子径の分布を測定した場合に、小さい側から累積10%となる粒子径をD10、小さい側から累積90％となる粒子径をD90という。このD90/D10が３以下であることから、本発明における窒化ホウ素の粒度分布はシャープであることを特徴とする。このように粒度分布がシャープな粒子であると、窒化ホウ素の流動性を制御することが容易になる点で好ましい。上記D90/D10は、２．９以下であることがより好ましい。
なお、本発明において、微粒子の粒度分布は、動的光散乱法／レーザードップラー法ナノトラック粒度分布測定装置（日機装株式会社製、商品名：UPA-EX150）により測定し、その体積基準メジアン径を粒子径とした。なお、メジアン径とは粒度分布を累積分布として表した時の累積５０％に相当する粒子径である。
【００２４】
また上記疎水性球状シリカ微粒子の平均円形度は0.8〜１が好ましく、0.92〜１がより好ましい。ここで「球状」とは、真球だけでなく、若干歪んだ球も含む。このような「球状」の形状とは、粒子を二次元に投影した時の円形度で評価し、円形度が0.8〜1の範囲にあるものを云う。ここで円形度とは、（粒子面積と等しい円の周囲長）／（粒子周囲長）である。この円形度は電子顕微鏡等で得られる粒子像を画像解析することにより測定することができる。
【００２５】
上記において、親水性球状シリカ微粒子が「実質的にＳｉＯ2単位からなる」とは、該微粒子は基本的にはＳｉＯ2単位から構成されているが該単位のみから構成されている訳ではなく、少なくとも表面に通常知られているようにシラノール基を多数個有することを意味する。また、場合によっては、原料である４官能性シラン化合物および／またはその部分加水分解縮合生成物に由来する加水分解性基（ヒドロカルビルオキシ基）が一部シラノール基に転化されずに若干量そのまま微粒子表面や内部に残存していてもよいことを意味する。
【００２６】
以上のように、本発明においては、テトラアルコキシシランの加水分解によって得られる小粒径ゾルゲル法シリカをシリカ原体（疎水化処理前のシリカ）として、これに特定の表面処理を行なうことにより、粉体として得たときに疎水化処理後の粒子径がシリカ原体の一次粒子径を維持しており、凝集しておらず、小粒径であり、窒化ホウ素粉末に良好な流動性を付与できる疎水性シリカ微粒子が得られる。
【００２７】
小粒径のシリカ原体として、アルコキシ基の炭素原子数が小さいテトラアルコキシシランを用いること、溶媒として炭素原子数の小さいアルコールを用いること、加水分解温度を高めること、テトラアルコキシシランの加水分解時の濃度を低くすること、加水分解触媒の濃度を低くすることなど、反応条件を変更することにより、任意の粒径のシリカ原体を得ることができる。
【００２８】
この小粒径のシリカ原体に、前述の通り、そして更に詳しく以下に述べるように、特定の表面処理を行なうことにより、所望の疎水性シリカ微粒子が得られる。
【００２９】
次に、上記疎水性球状シリカ微粒子の製造方法の一つについて、以下に詳細に説明する。
【００３０】
＜疎水性球状シリカ微粒子（１）の製造方法＞
本発明の疎水性球状シリカ微粒子は、
工程(A1)：親水性球状シリカ微粒子の合成工程、
工程(A2)：３官能性シラン化合物による表面処理工程、
工程(A3)：１官能性シラン化合物による表面処理工程
によって得られる。以下、各工程を順次説明する。
【００３１】
・工程(A1)：親水性球状シリカ微粒子の合成工程
一般式（Ｉ）：
Ｓｉ（ＯＲ3）4                              （Ｉ）
（式中、各Ｒ3は同一または異種の炭素原子数１〜６の一価炭化水素基である）で示される４官能性シラン化合物、その部分加水分解生成物、またはこれらの混合物を、塩基性物質を含む親水性有機溶媒と水の混合液中で加水分解及び縮合することによって、親水性球状シリカ微粒子の混合溶媒分散液を得られる。
【００３２】
上記一般式（Ｉ）中、Ｒ3は、炭素原子数１〜６の一価炭化水素基であるが、好ましくは炭素原子数１〜４、特に好ましくは１〜２の１価炭化水素基である。Ｒ3で表される１価炭化水素基としては、例えば、メチル基、エチル基、プロピル基、ブチル基のようなアルキル基；フェニル基のようなアリール基が挙げられ、好ましくは、メチル基、エチル基、プロピル基又はブチル基、特に好ましくはメチル基又はエチル基が挙げられる。
【００３３】
上記一般式（Ｉ）で示される４官能性シラン化合物としては、例えば、テトラメトキシシラン、テトラエトキシシラン、テトラプロポキシシラン、テトラブトキシシラン等のテトラアルコキシシラン；及びテトラフェノキシシランが挙げられ、好ましくは、テトラメトキシシラン、テトラエトキシシラン、テトラプロポキシシラン及びテトラブトキシシラン、特に好ましくは、テトラメトキシシラン及びテトラエトキシシランが挙げられる。また、一般式（Ｉ）で示される４官能性シラン化合物の部分加水分解縮合生成物としては、例えば、メチルシリケート、エチルシリケート等のアルキルシリケートが挙げられる。
【００３４】
前記親水性有機溶媒としては、一般式（Ｉ）で示される４官能性シラン化合物と、この部分加水分解縮合生成物と、水とを溶解するものであれば特に制限されず、例えば、アルコール類；メチルセロソルブ、エチルセロソルブ、ブチルセロソルブ、酢酸セロソルブ等のセロソルブ類；アセトン、メチルエチルケトン等のケトン類；ジオキサン、テトラヒドロフラン等のエーテル類等が挙げられ、好ましくは、アルコール類、セロソルブ類であり、特に好ましくはアルコール類が挙げられる。該アルコール類としては、一般式（Ｖ）：
Ｒ5ＯＨ    （Ｖ）
［式中、Ｒ5は炭素原子数１〜６の１価炭化水素基である］で示されるアルコールが挙げられる。
【００３５】
上記一般式（Ｖ）中、Ｒ5は、好ましくは炭素原子数１〜４、特に好ましくは１〜２の１価炭化水素基である。Ｒ5で表される１価炭化水素基としては、例えば、メチル基、エチル基、プロピル基、イソプロピル基、ブチル基等のアルキル基、好ましくはメチル基、エチル基、プロピル基及びイソプロピル基、より好ましくはメチル基及びエチル基が挙げられる。一般式（Ｖ）で示されるアルコールとしては、例えば、メタノール、エタノール、プロパノール、イソプロパノール、ブタノール等が挙げられ、好ましくはメタノール、エタノールが挙げられる。アルコールの炭素原子数が増えると、生成する球状シリカ微粒子の粒子径が大きくなる。従って、目的とする小粒径のシリカ微粒子を得るためには、メタノールが好ましい。
【００３６】
また、上記塩基性物質としてはアンモニア、ジメチルアミン、ジエチルアミン等、好ましくは、アンモニア、ジエチルアミン、特に好ましくはアンモニアが挙げられる。これらの塩基性物質は、所要量を水に溶解した後、得られた水溶液（塩基性）を前記親水性有機溶媒と混合すればよい。
該塩基性物質の使用量は、一般式（Ｉ）で示される４官能性シラン化合物および／またはその部分加水分解縮合生成物のヒドロカルビルオキシ基の合計１モルに対して0.01〜２モルであることが好ましく、0.02〜0.5モルであることがより好ましく、0.04〜0.12モルであることが特に好ましい。このとき、塩基性物質の量が少ないほど所望の小粒径シリカ微粒子となる。
【００３７】
上記加水分解及び縮合で使用される水の量は、一般式（Ｉ）で示される４官能性シラン化合物および／またはその部分加水分解縮合生成物のヒドロカルビルオキシ基の合計１モルに対して0.5〜５モルであることが好ましく、0.6〜２モルであることがより好ましく、0.7〜１モルであることが特に好ましい。水に対する上記親水性有機溶媒の比率（親水性有機溶媒：水）は、質量比で0.5〜10であることが好ましく、３〜９であることがより好ましく、５〜８であることが特に好ましい。親水性有機溶媒の量が多いほど所望の小粒径のシリカ微粒子が得られる。
【００３８】
一般式（Ｉ）で示される４官能性シラン化合物等の加水分解および縮合は、周知の方法、即ち、塩基性物質を含む親水性有機溶媒と水との混合物中に、一般式（Ｉ）で示される４官能性シラン化合物等を添加することにより行われる。
【００３９】
この工程(A1)で得られる親水性球状シリカ微粒子の混合溶媒分散液中のシリカ微粒子の濃度は一般に、３〜１５質量％であり、好ましくは５〜１０質量％である。
【００４０】
・工程(A2)：３官能性シラン化合物による表面処理工程
工程(A1)において得られた親水性球状シリカ微粒子の混合溶媒分散液に、一般式（II）：
Ｒ1Ｓｉ（ＯＲ4）3                            （II）
（式中、Ｒ1は置換または非置換の炭素原子数１〜２０の一価炭化水素基、各Ｒ4は同一または異種の炭素原子数１〜６の一価炭化水素基である）で示される３官能性シラン化合物、またはその部分加水分解生成物、またはこれらの混合物を添加して、該親水性球状シリカ微粒子の表面をこれにより処理することにより、前記親水性球状シリカ微粒子の表面にＲ1ＳｉＯ3/2単位（Ｒ1は前記の通り）を導入して、第一の疎水性球状シリカ微粒子の混合溶媒分散液を得る。
【００４１】
本工程(A2)は、次の工程である濃縮工程(A3)においてシリカ微粒子の凝集を抑制するために不可欠である。凝集を抑制できないと、得られるシリカ系粉体の個々の粒子は一次粒子径を維持できないため、流動性付与能が悪くなる。
【００４２】
上記一般式（II）中、Ｒ1は、好ましくは炭素原子数１〜３、特に好ましくは１〜２の１価炭化水素基である。Ｒ1で表される１価炭化水素基としては、例えば、メチル基、エチル基、ｎ−プロピル基、イソプロピル基、ブチル基、ヘキシル基等のアルキル基、好ましくは、メチル基、エチル基、ｎ−プロピル基又はイソプロピル基、特に好ましくは、メチル基又はエチル基が挙げられる。また、これらの１価炭化水素基の水素原子の一部または全部が、フッ素原子、塩素原子、臭素原子等のハロゲン原子、好ましくはフッ素原子で置換されていてもよい。
【００４３】
上記一般式（II）中、Ｒ4は、好ましくは炭素原子数１〜３、特に好ましくは１〜２の１価炭化水素基である。Ｒ4で表される１価炭化水素基としては、例えば、メチル基、エチル基、プロピル基、ブチル基等のアルキル基、好ましくは、メチル基、エチル基又はプロピル基、特に好ましくは、メチル基又はエチル基が挙げられる。
【００４４】
一般式（II）で示される３官能性シラン化合物としては、例えば、メチルトリメトキシシラン、メチルトリエトキシシラン、エチルトリメトキシシラン、エチルトリエトキシシラン、ｎ−プロピルトリメトキシシラン、ｎ−プロピルトリエトキシシラン、イソプロピルトリメトキシシラン、イソプロピルトリエトキシシラン、ブチルトリメトキシシラン、ブチルトリエトキシシラン、ヘキシルトリメトキシシラン、トリフルオロプロピルトリメトキシシラン、ヘプタデカフルオロデシルトリメトキシシラン等の非置換若しくはハロゲン置換のトリアルコキシシラン等、好ましくは、メチルトリメトキシシラン、メチルトリエトキシシラン、エチルトリメトキシシラン及びエチルトリエトキシシラン、より好ましくは、メチルトリメトキシシラン及びメチルトリエトキシシラン、または、これらの部分加水分解縮合生成物が挙げられる。
【００４５】
一般式（II）で示される３官能性シラン化合物の添加量は、使用された親水性球状シリカ微粒子のＳｉ原子１モル当り0.001〜１モル、好ましくは0.01〜0.1モル、特に好ましくは0.01〜0.05モルである。添加量が0.01モルより少ないと、得られる疎水性球状シリカ微粒子の分散性が悪くなるため、窒化ホウ素への流動性化付与効果が現れず、1モルより多いとシリカ微粒子の凝集が生じ得る。
【００４６】
この工程（A2）で得られる第一の疎水性球状シリカ微粒子の混合溶媒分散液中の該シリカ微粒子の濃度は通常３質量％以上１５質量％未満、好ましくは５〜１０質量％である。かかる濃度が低すぎると生産性が低下してしまうという不都合があり、高すぎるとシリカ微粒子の凝集が生じてしまうという不都合がある。
【００４７】
・濃縮工程
このようにして得られた第一の疎水性球状シリカ微粒子の混合溶媒分散液から前記親水性有機溶媒と水の一部を除去し、濃縮することにより、第一の疎水性球状シリカ微粒子の混合溶媒濃縮分散液を得る。この際、疎水性有機溶媒をあらかじめ（濃縮工程前）、或いは濃縮工程中に加えてもよい。この際、使用する疎水性溶媒としては、炭化水素系又はケトン系溶媒が好ましい。具体的には該溶媒として、トルエン、キシレン、メチルエチルケトン、メチルイソブチルケトン等が挙げられ、メチルイソブチルケトンが好ましい。前記親水性有機溶媒と水の一部を除去する方法としては、例えば留去、減圧留去などが挙げられる。得られる濃縮分散液はシリカ微粒子濃度が１５〜４０質量％であることが好ましく、２０〜３５質量％であることがより好ましく、２５〜３０質量％であることが特に好ましい。１５質量％より少ないと後工程の表面処理が円滑に進まないことがあり、４０質量％より大きいとシリカ微粒子の凝集が生じてしまうことがある。
【００４８】
濃縮工程は、次の工程(A3)において表面処理剤として使用される一般式（III）で表されるシラザン化合物および一般式(IV)で表される一官能性シラン化合物がアルコールや水と反応して表面処理が不十分となり、その後に乾燥を行った時に凝集を生じ、得られるシリカ粉体は一次粒子径を維持できず、流動性付与能が悪くなる、といった不具合を抑制するという意義もある。
【００４９】
・工程(A3)：１官能性シラン化合物による表面処理工程
工程（A2）で得られた第一の疎水性球状シリカ微粒子の混合溶媒分散液に、一般式（III）：
Ｒ23ＳｉＮＨＳｉＲ23                          （III）
（式中、各Ｒ2は同一または異種の置換または非置換の炭素原子数１〜６の一価炭化水素基である）
で示されるシラザン化合物、又は一般式（IV）：
Ｒ23ＳｉＸ                                    （IV）
（式中、Ｒ2は一般式（III）で定義した通りであり、ＸはＯＨ基または加水分解性基である）で示される１官能性シラン化合物またはこれらの混合物を添加し、これにより前記第一の疎水性球状シリカ微粒子の表面を処理し、該微粒子の表面にＲ23ＳｉＯ1/2単位（但し、Ｒ2は一般式（III）で定義の通り）を導入することにより、第二の疎水性球状シリカ微粒子を得る。この工程の処理により、第一の疎水性球状シリカ微粒子の表面に残存するシラノール基をトリオルガノシリル化する形でＲ23ＳｉＯ1/2単位が該表面に導入される。
【００５０】
上記一般式（III）および（IV）中、Ｒ2は、好ましくは炭素原子数１〜４、特に好ましくは１〜２の１価炭化水素基である。Ｒ2で表される１価炭化水素基としては、例えば、メチル基、エチル基、プロピル基、イソプロピル基、ブチル基等のアルキル基、好ましくは、メチル基、エチル基又はプロピル基、特に好ましくは、メチル基又はエチル基が挙げられる。また、これらの１価炭化水素基の水素原子の一部または全部が、フッ素原子、塩素原子、臭素原子等のハロゲン原子、好ましくは、フッ素原子、で置換されていてもよい。
【００５１】
Ｘで表される加水分解性基としては、例えば、塩素原子、アルコキシ基、アミノ基、アシルオキシ基が挙げられ、好ましくはアルコキシ基又はアミノ基、特に好ましくはアルコキシ基が挙げられる。
【００５２】
一般式（III）で示されるシラザン化合物としては、例えば、ヘキサメチルジシラザン、ヘキサエチルジシラザン等、好ましくはヘキサメチルジシラザンが挙げられる。一般式（IV）で示される１官能性シラン化合物としては、例えば、トリメチルシラノール、トリエチルシラノール等のモノシラノール化合物；トリメチルクロロシラン、トリエチルクロロシラン等のモノクロロシラン；トリメチルメトキシシラン、トリメチルエトキシシラン等のモノアルコキシシラン；トリメチルシリルジメチルアミン、トリメチルシリルジエチルアミン等のモノアミノシラン；トリメチルアセトキシシラン等のモノアシルオキシシランが挙げられ、好ましくは、トリメチルシラノール、トリメチルメトキシシラン又はトリメチルシリルジエチルアミン、特に好ましくは、トリメチルシラノール又はトリメチルメトキシシランが挙げられる。
【００５３】
前記シラザン化合物又は／及び官能性シラン化合物の使用量は、使用した親水性球状シリカ微粒子のＳｉ原子１モルに対して0.1〜0.5モル、好ましくは0.2〜0.4モル、特に好ましくは0.25〜0.35モルである。使用量が0.1モルより少ないと、得られる疎水性シリカ微粒子の分散性が悪くなるため、窒化ホウ素粒子への流動性付与効果が現れない。使用量が0.5モルより多いと、経済的に不利である。
【００５４】
上記疎水性球状シリカ微粒子は、常圧乾燥、減圧乾燥等の常法によって粉体として得られる。
【００５５】
＜窒化ホウ素組成物＞
本発明の窒化ホウ素粉末は、前記原料窒化ホウ素粉末に前記疎水性球状シリカ微粒子を添加し、該窒化ホウ素粉末の表面上に物理吸着させて付着させてなるものである。該窒化ホウ素粉体への該疎水性球状シリカ微粒子の添加量は、該原料窒化ホウ素粉体の０．０１〜５．０質量％であることが好ましく、より好ましくは０．１〜４．０質量％、特に０．５〜３．０質量％である。この添加量が０．０１質量％より少ないと、窒化ホウ素粉体の流動性が変化しない場合があり、好ましくない。またこの添加量が５．０質量％を超えると、コスト的に好ましくない場合がある。本発明の窒化ホウ素粉末は、通常前記窒化ホウ素粉末と前記疎水性球状シリカ微粒子とから成る粉末であるが、任意に着色剤、カップリング剤のような添加剤を含んでもよい。
【００５６】
窒化ホウ素粉体に前記の疎水性シリカ微粒子を付着させるには、公知の混合方法によれば良く、ヘンシェルミキサー、Ｖ型ブレンダー、リボンブレンダー、らいかい機、ニーダーミキサー、バタフライミキサー、あるいは通常のプロペラ攪拌子による混合機を用いて、各成分の所定量を均一に混合すればよい。そうすれば簡単に疎水性シリカ微粒子を窒化ホウ素粉末表面に付着させることができる。
【００５７】
＜窒化ホウ素粉末を用いた樹脂組成物＞
本発明の窒化ホウ素粉末と組合せられる樹脂としては、ポリマーマトリックス、低分子量流体、が挙げられ、ポリマーマトリックスとしては、ポリエステル、溶融加工可能ポリマー、クレゾールノボラック樹脂のようなフェノール樹脂、シリコーンポリマー（例えば、シリコーンゴム）、アクリル樹脂、ワックス、熱可塑性ポリマー、エポキシ樹脂、又はこれらの混合物のようなポリマーマトリクス構成要素を選ぶことができる。ポリマー組成物の総質量の１０〜９０質量％、好ましくは３０〜９０質量％、特に５０〜９０質量％の窒化ホウ素組成物を添加すると、樹脂の熱伝導性、電気絶縁性等を向上させることが可能となる。
【００５８】
また上記ポリマーマトリックスはエラストマーを含んでも良い。このようなエラストマーには、限定ではないが、１，３ブタジエン、スチレン、イソプレン、イソブチレン、２，３−ジメチル−１，３−ブタジエン、アクリロニトリル、エチレン、及びプロピレンのホモポリマー又はコポリマーが含まれる。更にはスチレン−ブタジエンゴム（ＳＢＲ）、天然ゴム及びその誘導体、例えば塩素化ゴム、ポリブタジエン、ポリイソプレン、油展誘導体；共役ジエンのポリマー及びコポリマー、例えばポリブタジエン、ポリイソプレン、ポリクロロプレン及び同様のもの、及びこのような共役ジエンとコポリマー化が可能なエチレン基含有モノマーと共役ジエンとのコポリマー、例えばスチレン、メチルスチレン、クロロスチレン、アクリロニトリル、２−ビニル−ピリジン、５−メチル２−ビニルピリジン、５−エチル−２−ビニルピリジン、２−メチル−５−ビニルピリジン、アルキル置換アクリレート、ビニルケトン、メチルイソプロペニルケトン、メチルビニルエーテル、αメチレンカルボン酸及びそのエステル及びアミド、例えば、アクリル酸及びジアルキルアクリル酸アミド；エチレン及び他の高αオレフィンのコポリマー、例えばプロピレン、ブテン−１及びペンテン−１；１，３-ブタジエン、スチレン、イソプレン、イソブチレン、２，３−ジメチル−１，３ブタジエン、アクリロニトリル、エチレン、プロピレン及び同様のものから製造されるポリマー（例えば、ホモポリマー、コポリマー、及びターポリマー）、加硫組成物（ＶＲ）、熱可塑性加硫物（ＴＰＶ）、熱可塑性エラストマー（ＴＡＥ）及び熱可塑性ポリオレフィン（ＴＰＯ）なども含まれる。また、これらの何れかのブレンド物を用いることもできる。該エラストマーを含むポリマー組成物は、例えば、硫黄、硫黄供与体、活性剤、促進剤、過酸化物、及びエラストマーを加硫化するのに用いられる他の１つ又はそれ以上の硬化剤を含むことができる。
【００５９】
タイヤ用途では、本発明の窒化ホウ素粉末を添加したポリマー組成物は、任意選択的ではあるが、トレッド化合物、アンダートレッド化合物、側壁化合物、ワイヤスキム化合物、内側ライナー化合物のような化合物；及びビーズ、アペックス、車両のタイヤ、産業ゴム製品、密封物、タイミングベルト、送電ベルト装置、及び他のゴム物品の構成要素に用いられるあらゆる化合物の１種又はそれ以上のカップリング剤を含むことができる。
【００６０】
前記熱可塑性ポリマーとしては、液晶ポリマー：ポリエチレンナフタレート、ポリエチレンテレフタレート、ポリブチレンテレフタレートのようなポリエステル；ポリアミド；ポリフタルアミド；ポリイミド；ポリフェニレンスルフィド；ポリカーボネート；ポリエーテルエーテルケトン；ポリアリールエーテルケトン；ポリアリーレンスルフィド；ポリフェニレンオキシド；及びその混合物の少なくとも１つが含まれる。
【００６１】
本発明の窒化ホウ素粉末を添加した樹脂組成物は、ミル、バンバリーミキサー、ブラベンダー（Ｂｒａｂｅｎｄｅｒ）、一軸又は二軸スクリュー押出機、連続ミキサー、混練機等を用いて、溶融混合における技術分野で公知の方法により調製することができる。
【００６２】
本発明の窒化ホウ素粉末を充填した樹脂組成物は、非処理の窒化ホウ素が充填された同種の樹脂組成物と比較して、ポリマーマトリックスの粘性を殆ど増大させない状態で窒化ホウ素の充填濃度を上昇させることができ、これによって、該、ポリマーマトリックスの熱伝導性を向上させて粘性を低下させるか、又は、単に充填ポリマー組成物の粘性を低下させて加工性を向上させることができる。
【００６３】
本発明の窒化ホウ素粉末を用いた樹脂組成物は、マイクロプロセッサパッケージ、自動車部品及び構成要素、タイヤ、軸受ハウジングで用いられる物品、シート、フィルム、部品などの用途；マイクロプロセッサ及び集積回路チップ、プラスチックボールグリッドアレイパッケージ、クワッドフラットパック、及び他の一般的な表面実装集積回路パッケージ等のためのヒートシンクのような熱交換器用途、詳細には純アルミナ（約２５Ｗ／ｍＫ）に近い高い熱伝導性が必要な用途、に用いることができるが、これらに限定されるものではない。
【実施例】
【００６４】
以下、実施例および比較例を用いて本発明を具体的に説明する。なお、下記の実施例は、本発明を何ら制限するものではない。
【００６５】
実施例で使用する窒化ホウ素粉末として、燐片状の六方晶構造の窒化ホウ素粉末であるＵＨＰ−２（昭和電工製、平均粒子径１１．８μｍ）を使用した。これは、平均厚さが０．６μｍ、平均アスペクト比が５０の六方晶系窒化ホウ素小板を９０質量％含むものである。
【００６６】
［疎水性球状シリカ微粒子の合成］
＜合成例１＞
・工程(A1)：親水性球状シリカ微粒子の合成工程
攪拌機と、滴下ロートと、温度計とを備えた３リットルのガラス製反応器にメタノール989.5gと、水135.5gと、28％アンモニア水66.5gとを入れて混合した。この溶液を35℃となるように調整し、攪拌しながらテトラメトキシシラン436.5g（2.87モル）を６時間かけて滴下した。この滴下が終了した後も、さらに0.5時間攪拌を継続して加水分解を行うことにより、親水性球状シリカ微粒子の懸濁液を得た。
【００６７】
・工程(A2)：３官能性シラン化合物による表面処理工程
上で得られた懸濁液に室温でメチルトリメトキシシラン4.4g（0.03モル）を0.5時間かけて滴下し、滴下後も12時間攪拌を継続し、シリカ微粒子表面を疎水化処理することにより、疎水性球状シリカ微粒子の分散液を得た。
【００６８】
次いで、ガラス製反応器にエステルアダプターと冷却管とを取り付け、前工程で得られた分散液を60〜70℃に加熱してメタノールと水の混合物1021gを留去し、疎水性球状シリカ微粒子の混合溶媒濃縮分散液を得た。このとき、濃縮分散液中の疎水性球状シリカ微粒子の含有量は28質量%であった。
【００６９】
・工程(A3)：１官能性シラン化合物による表面処理工程
前工程で得られた濃縮分散液に、室温において、ヘキサメチルジシラザン138.4g（0.86モル）を添加した後、この分散液を50〜60℃に加熱し、９時間反応させることにより、該分散液中のシリカ微粒子をトリメチルシリル化した。次いで、この分散液中の溶媒を130℃、減圧下（6650Pa）で留去することにより、疎水性球状シリカ微粒子（１）186gを得た。
【００７０】
工程(A1)で得られた親水性球状シリカ微粒子について、下記の測定方法１に従って測定を行った。また、上記の工程(A1)〜(A4)の各段階を経て得られた疎水性球状シリカ微粒子について、下記の測定方法２〜３に従って測定を行った。得られた結果を表１に示す。
【００７１】
［測定方法１〜３］
１．工程(A1)で得られた親水性球状シリカ微粒子の粒子径測定
メタノールにシリカ微粒子懸濁液を、シリカ微粒子が0.5質量％となるように添加し、10分間超音波にかけることにより、該微粒子を分散させた。このように処理した微粒子の粒度分布を、動的光散乱法／レーザードップラー法ナノトラック粒度分布測定装置（日機装株式会社製、商品名：UPA-EX150）により測定し、その体積基準メジアン径を粒子径とした。なお、メジアン径とは粒度分布を累積分布として表した時の累積５０％に相当する粒子径である。
【００７２】
２．工程(A3)において得られた疎水性球状シリカ微粒子の粒子径測定及び粒度分布D90/D10の測定
メタノールにシリカ微粒子を、0.5質量％となるように添加し、10分間超音波にかけることにより、該微粒子を分散させた。このように処理した微粒子の粒度分布を、動的光散乱法／レーザードップラー法ナノトラック粒度分布測定装置（日機装株式会社製、商品名：UPA-EX150）により測定し、その体積基準メジアン径を粒子径とした。粒度分布D90/D10の測定は、上記粒子径測定した際の分布において小さい側から累積が10%となる粒子径をD10、小さい側から累積が90％となる粒子径をD90とし測定された値からD90/D10を計算した。
【００７３】
３．疎水性球状シリカ微粒子の形状測定
電子顕微鏡（日立製作所製、商品名：S-4700型、倍率：10万倍）によって観察を行い、形状を確認した。「球状」とは、真球だけでなく、若干歪んだ球も含む。なおこのような粒子の形状は、粒子を二次元に投影した時の円形度で評価し、円形度が0.8〜1の範囲にあるものとする。ここで円形度とは、（粒子面積と等しい円の周囲長）／（粒子周囲長）である。
【００７４】
＜合成例２＞
合成例１において、工程（A1）でメタノール、水、及び28％アンモニア水の量を、メタノール1045.7g、水112.6g、28％アンモニア水33.2gに変えたこと以外は同様にして、疎水性球状シリカ微粒子（２）188gを得た。この疎水性球状シリカ微粒子を用いて合成例１における測定と同様に測定した。この結果を表１に示す。
【００７５】
＜合成例３＞
・工程(A1)：
撹拌機、滴下ロート及び温度計を備えた３リットルのガラス製反応器に、メタノール６２３．７ｇ、水４１．４ｇ、２８％アンモニア水４９．８ｇを添加して混合した。この溶液を３５℃に調整し、撹拌しながら該溶液にテトラメトキシシラン１１６３．７ｇおよび５．４％アンモニア水４１８．１ｇを同時に添加開始し、前者は６時間、そして後者は４時間かけて滴下した。テトラメトキシシラン滴下後も０．５時間撹拌を続けて加水分解を行い、シリカ微粒子の懸濁液を得た。
【００７６】
・工程(A2)：
こうして得られた懸濁液に室温でメチルトリメトキシシラン１１．６ｇ（テトラメトキシシランに対してモル比で0.01相当量）を０．５時間かけて滴下し、滴下後も１２時間撹拌して、シリカ微粒子表面の処理を行った。
【００７７】
該ガラス製反応器にエステルアダプターと冷却管を取り付け、上記の表面処理を施したシリカ微粒子を含む分散液にメチルイソブチルケトン１４４０ｇを添加した後、８０〜１１０℃に加熱して、メタノール水を７時間かけて留去した。
【００７８】
・工程(A3)：
こうして得られた分散液に、室温でヘキサメチルジシラザン３５７．６ｇを添加し、１２０℃に加熱し、３時間反応させて、シリカ微粒子をトリメチルシリル化した。その後溶媒を減圧下で留去して球状疎水性シリカ微粒子（３）４７２ｇを得た。
【００７９】
こうして得られたシリカ微粒子（３）について、合成例１と同様の測定を行った。結果を表１に示す。
【００８０】
＜合成例４＞
シリカ微粒子の合成の際に、テトラメトキシシランの加水分解温度を３５℃の代りに２０℃とした以外は、合成例３と同様にして各工程を行ったところ、疎水性球状シリカ微粒子（４）４６９gを得た。この疎水性球状シリカ微粒子（４）を用いて合成例１と同様の測定を行った。この結果を表１に示す。
【００８１】
＜比較合成例１＞
攪拌機と温度計とを備えた0.3リットルのガラス製反応器に爆燃法シリカ（商品名：SOC1、アドマテクス社製）100gを仕込み、純水１gを攪拌下で添加し、密閉後、さらに60℃で10時間攪拌した。次いで、室温まで冷却した後、ヘキサメチルジシラザン２gを攪拌下で添加し、密閉後、さらに24時間攪拌した。120℃に昇温し、窒素ガスを通気しながら残存原料および生成したアンモニアを除去し、疎水性球状シリカ微粒子（５）100gを得た。
【００８２】
得られたシリカ微粒子（５）について、合成例１と同様の測定を行った。結果を表１に示す。
【００８３】
＜比較合成例２＞
攪拌機と温度計とを備えた0.3リットルのガラス製反応器に爆燃法シリカ（商品名：SOC1、アドマテクス社製）100gを仕込み、純水１gを攪拌下で添加し、密閉後、さらに60℃で10時間攪拌した。次いで、室温まで冷却した後、メチルトリメトキシシラン１gを攪拌下で添加し、密閉後、さらに24時間攪拌した。次にヘキサメチルジシラザン２gを攪拌下で添加し、密閉後、さらに24時間攪拌した。120℃に昇温し、窒素ガスを通気しながら残存原料および生成したアンモニアを除去し、疎水性球状シリカ微粒子（６）101gを得た。得られたシリカ微粒子（６）について、合成例１と同様の測定を行った。結果を表１に示す。
【００８４】
＜実施例１〜５、比較例１〜５＞
上記の各疎水性球状シリカ微粒子（１）〜（６）を、表２に示す量で前記窒化ホウ素粉末に添加し、サンプルミルにより３分撹拌混合を行った。得られた粉体状の窒化ホウ素粉末について、粉体流動性の指標である基本流動性エネルギーの測定を行った。結果を表２に示す。なお、測定の詳細は以下の通りである。
また、実施例２、４の、球状疎水性シリカ微粒子を窒化ホウ素粉末表面に付着させた窒化ホウ素組成物の電子顕微鏡写真及び比較例５の、球状疎水性シリカ微粒子を窒化ホウ素粉末に添加しない未処理の窒化ホウ素の電子顕微鏡写真を図に示す。
【００８５】
流動性は、粉体流動性分析装置ＦＴ−４（シスメックス（株）製）を用いて測定した。この装置の測定原理を説明する。垂直に置かれた筒状容器に粉体を充填し、該粉体中を垂直な軸棒の先端に設けられた二枚の回転翼（ブレード）を回転させながら一定の距離(高さＨ１からＨ２まで）下降させる。このときに粉体から受ける力をトルク成分と荷重成分とに分けて測定することにより、該ブレードがＨ１からＨ２まで下降するのに伴うそれぞれの仕事量（エネルギー）を求め、次いで両者のトータルエネルギー量を求める。こうして測定されたトータルエネルギー量が小さいほど粉体の流動性が良好であることを意味するので、粉体流動性の指標として使用する。この装置にて、窒化ホウ素粉末の安定性試験も行なった。
【００８６】
・・条件：
容器：容積１６０ｍｌ（内径５０ｍｍ、長さ７９ｍｍ）のガラス製円筒型容器を使用した。
【００８７】
ブレード：円筒型容器内の中央に鉛直に装入されるステンレス製の軸棒の先端に、水平に対向する形で二枚取り付けられている。ブレードは、直径４８ｍｍのものを使用する。Ｈ１からＨ２までの長さは６９ｍｍである。
【００８８】
・・流動性試験：上記のようにして、測定容器に充填した粉体を静置した状態から流動させた場合の粉体流動特性をみる。ブレード先端の回転速度を100mm/secとし、トータルエネルギー量を7回連続して測定する。7回目のトータルエネルギー量（最も安定した状態であるので基本流動性エネルギーと称される）を表２に示す。トータルエネルギー量が小さいほど流動性が高い。
・・安定性試験：流動性試験に続いて、ブレードの回転速度を100mm/sec→70mm/sec→40mm/sec→10mm/secと変えた時のトータルエネルギー量を測定する。その時のFRI変動指数（Flow Rate Index）が１に近いほど、流動速度について安定していると言える。ここで、FRI変動指数=（10mm/sのデータ）／(100mm/sのデータ)。
【００８９】
【表１】
2014166930.tif 000003
＜注＞
１）工程(A1)で得られた分散液の親水性球状シリカ微粒子の粒子径
２）最終的に得られた疎水性シリカ微粒子の粒子径
【００９０】
【表２】
2014166930.tif 000004
【００９１】
＜実施例６＞
＜熱伝導性シートの作製＞
実施例４の窒化ホウ素粉末１００ｇ、エポキシ樹脂（東都化成社製、商品名「ＹＳＬＶ−８０ＸＹ」）１１．３ｇ、クレゾールノボラック樹脂（東都化成社製、商品名「ＹＤＣＮ−７０１」）１１．３ｇ、及び硬化促進剤（三フッ化ホウ素モノエチルアミン）０．２６ｇを小型粉砕機に投入し、これらを混合して、粉末状の樹脂組成物を調製した。この樹脂組成物を、金型を用いてプレス成形（１８０℃×１０分間）によりシート化して、熱伝導性シート（厚み０．２ｍｍ）を作製した。
【００９２】
（評価）
上記熱伝導性シートについて、熱伝導率ならびに絶縁破壊電圧の測定を実施した。なお、熱伝導率は、アイフェイズ社製、商品名「ａｉ−ｐｈａｓｅ ｍｏｂｉｌｅ」により熱拡散率を求め、さらに、示差走査熱量計（ＤＳＣ）を用いた測定により熱伝導性シートの単位体積あたりの熱容量を測定し、先の熱拡散率に乗じることにより算出した。
また、絶縁破壊電圧は、常温の絶縁油（ＪＩＳ Ｃ ２３２０に規定された１種２号絶縁油）中で１ｋＶ／ｍｉｎの昇圧速度で測定した。さらに、上記熱伝導性シートの脆さを指触にて判定し、取り扱いが良好で成形時における支障が生じないと見られるものを「○」、やや脆い感じがあるものの実用上問題ない普通レベルと感じられるものを「△」、もろく、成形時に慎重な取り扱いを要するものを「×」として判定した。その結果を表３に示す。
【００９３】
＜比較例６＞
上記実施例６の窒化ホウ素粉末１００ｇを、１００ｇの未処理の窒化ホウ素粉末ＵＨＰ−２に変えた以外は実施例６と同様にしてシートを作製し、同様に評価を行った。その結果を表３に示す。
【００９４】
【表３】
2014166930.tif 000005
【図１】
2014166930.tif 000006
【図２】
2014166930.tif 000007
【図３】
2014166930.tif 000008